(57)【要約】【課題】クレーンの拘束を低減すると同時に、カーテンウォールの取付け作業の施工性を向上させることができるカーテンウォールの取付け方法及び装置を提供すること。【解決手段】本発明のカーテンウォールの取付け方法は、建物上層部における躯体２に、一端側を躯体に固定し且つ他端側を建物外方に向けて水平に延出させる態様で跳ね出しレール２０を設置するとともに、跳ね出しレール２０に対して台車３０をスライド可能に配置し、吊下げ治具５１を介して複数のカーテンウォールを収納ラック５０に吊下げ支持させた後、収納ラック５０をクレーン８３で建物上層部まで揚重し、収納ラック５０を台車３０上に載置し、台車３０を建物内部に向けてスライドさせながら、吊下げ治具５１を介してカーテンウォールを１枚ずつ吊り出し、所定の取付け位置に搬送して取り付ける。【選択図】        図２
2008266891.tif 000002
【特許請求の範囲】
【請求項１】
建物上層部における躯体に、一端側を前記躯体に固定し且つ他端側を建物外方に向けて水平に延出させる態様で跳ね出しレールを設置するとともに、該跳ね出しレールに対して台車をスライド可能に配置し、
吊下げ治具を介して複数のカーテンウォールを収納ラックに吊下げ支持させた後、該収納ラックをクレーンで前記建物上層部まで揚重し、該収納ラックを前記台車上に載置し、
前記台車を建物内部に向けてスライドさせながら、前記吊下げ治具を介してカーテンウォールを１枚ずつ吊り出し、所定の取付け位置に搬送して取り付けることを特徴とするカーテンウォールの取付け方法。
【請求項２】
前記跳ね出しレール設置箇所の上部に、前記建物の外周面に沿って走行レールを水平方向に敷設するとともに、該走行レールに巻上げ装置を走行自在に吊支させ、
前記収納ラックが載置された前記台車をスライドさせることにより、吊り出し対象となるカーテンウォールを前記巻上げ装置の直下に移動させ、前記巻上げ装置により前記カーテンウォールを吊り上げて、前記走行レールに沿って所定の取付け位置まで搬送することを特徴とする請求項１に記載のカーテンウォールの取付け方法。
【請求項３】
前記走行レールを、外周養生に支持させることを特徴とする請求項２に記載のカーテンウォールの取付け方法。
【請求項４】
２本の平行な懸垂レールと複数の吊下げ治具とを有し、各吊下げ治具にカーテンウォールを懸垂させた状態で各吊下げ治具を前記懸垂レールに架け渡すことにより、複数のカーテンウォールを吊下げ支持する収納ラックと、
一端側が建物上層部の躯体に固定される一方、他端側が建物外方に向けて水平に延出する態様で、前記建物上層部に設置された跳ね出しレールと、
前記跳ね出しレールに対してスライド可能に配置され、前記収納ラックを載置する台車と、
を備えたことを特徴とするカーテンウォールの取付け装置。
【請求項５】
前記収納ラックが、
各カーテンウォールの間にそれぞれ設置され、隣接するカーテンウォール同士の距離を一定に保つ複数の固定治具をさらに備えることを特徴とする請求項４に記載のカーテンウォールの取付け装置。
【請求項６】
前記複数の固定治具が着脱可能に連結されていることを特徴とする請求項５に記載のカーテンウォールの取付け装置。
【発明の詳細な説明】
【技術分野】
【０００１】
本発明は、カーテンウォールの取付け方法及び装置に関する。
【背景技術】
【０００２】
従来、金属製パネルやプレキャストコンクリート製パネルから構成されるカーテンウォールが、建物の外装壁として広く用いられている。このカーテンウォールの施工に際しては、屋上等に設置したクレーンを用いてカーテンウォールを１枚ずつ揚重し、クレーン操作によってカーテンウォールを所定の取付け位置まで移動させて取付ける方法が一般的に行われている。
【０００３】
しかし、上記の方法では、カーテンウォールを１枚ずつ揚重するために時間が掛かり、作業効率が悪い。そこで、クレーンによるカーテンウォールの揚重回数を削減するために、複数枚のカーテンウォールを一度に揚重する装置が種々提案されている（例えば、特許文献１及び２を参照）。
【０００４】
特許文献１に記載されたカーテンウォール吊り込み装置は、複数枚のカーテンウォールを収容するボックスと、ボックス内にカーテンウォールを吊り込むとともに、カーテンウォールをボックス外に送り出すカーテンウォール吊り込み・送り出し手段（自走式ホイスト）と、ボックス内に吊り込んだカーテンウォールの振れ止め手段と、カーテンウォール取付け時におけるボックスの重心移動に対応してボックス前後方向に移動し、ボックスの姿勢を水平に維持するバランス維持手段とを備えている。この吊り込み装置を用いてカーテンウォールの揚重、取付けを行う際には、上記ボックス内に複数のカーテンウォールを振れ止め固定し、次いで、屋上に設置したタワークレーンによりボックスを建物の所定のカーテンウォール取付位置まで揚重した後、バランス維持手段を移動させてボックスのバランスを維持しつつ、上記の吊り込み・送り出し手段を駆動させてカーテンウォールを所定の取付位置に吊り込み、当該位置に取付ける。
【０００５】
また、特許文献２に記載された板状外装材の取付装置は、前後左右４面の吊り込み面を有し、各吊り込み面は、板状外装材を吊り下げる２台の電動チェーンブロックを設けた吊ビームを備えている。また、装置下部には、取付装置を回転させるとともに、装置の姿勢を水平に維持する姿勢制御装置が設置されている。この取付装置を用いて板状外装材の取付けを行う際には、各吊り込み面に板状外装材を吊り込み、これを取付け場所まで揚重して、電動チェーンブロックを駆動させて板状外装材を取り付けた後、姿勢制御装置を駆動させて取付装置を回転させることにより、次の設置場所で板状外装材を取り付ける。
【０００６】
【特許文献１】特許第３２０４３５０号公報
【特許文献２】特許第２８６５２５４号公報
【発明の開示】
【発明が解決しようとする課題】
【０００７】
上述した特許文献１及び２の装置にあっては、複数枚のカーテンウォールを一括揚重することで揚重回数を低減し、カーテンウォールの取付けサイクルを短縮させることができる。しかしながら、カーテンウォールの揚重・取付け作業を行っている間、タワークレーンを拘束することになるから、その間、タワークレーンを用いて他の揚重搬送作業を行うことができないという問題がある。
【０００８】
また、上記の特許文献１及び２いずれの装置においても、カーテンウォール１枚ごとに、カーテンウォールの吊り込み・送り出し用の自走式ホイスト、電動チェーンブロック等の駆動機構を装備する必要がある。その結果、装置が複雑化しコスト割高につながるといった問題も生じる。
【０００９】
さらに、上記の装置を用いてカーテンウォールを取付け位置に取付ける場合、カーテンウォールをボックスから１枚ずつ取り除くたびにカーテンウォールを含めたボックスの重心が前方に移動するから、重心の移動に対応するバランス維持手段を動作させながら作業を行う必要がある。そのため、単なる取付け作業以外の工程が増え、カーテンウォール取付け作業の能率が悪いという問題がある。また、上記の装置では、カーテンウォールの取付け作業が進行するにしたがい、装置内のカーテンウォールの数が減って吊り荷（装置及びカーテンウォール）の重量が減少することで、風等の影響による荷振れが生じやすくなる。
【００１０】
本発明は、上記の点に鑑み、タワークレーンの拘束を低減すると同時に、カーテンウォールの取付け作業の施工性を向上させることができるカーテンウォールの取付け方法及びカーテンウォールの取付け装置を提供することを目的とする。
【課題を解決するための手段】
【００１１】
本発明のカーテンウォールの取付け方法は、建物上層部における躯体に、一端側を前記躯体に固定し且つ他端側を建物外方に向けて水平に延出させる態様で跳ね出しレールを設置するとともに、該跳ね出しレールに対して台車をスライド可能に配置し、吊下げ治具を介して複数のカーテンウォールを収納ラックに吊下げ支持させた後、該収納ラックをクレーンで前記建物上層部まで揚重し、該収納ラックを前記台車上に載置し、前記台車を建物内部に向けてスライドさせながら、前記吊下げ治具を介してカーテンウォールを１枚ずつ吊り出し、所定の取付け位置に搬送して取り付けることを特徴とする。
【００１２】
また、本発明の請求項２のカーテンウォールの取付け方法は、上記請求項１において、前記跳ね出しレール設置箇所の上部に、前記建物の外周面に沿って走行レールを水平方向に敷設するとともに、該走行レールに巻上げ装置を走行自在に吊支させ、前記収納ラックが載置された前記台車をスライドさせることにより、吊り出し対象となるカーテンウォールを前記巻上げ装置の直下に移動させ、前記巻上げ装置により前記カーテンウォールを吊り上げて、前記走行レールに沿って所定の取付け位置まで搬送することを特徴とする。
【００１３】
また、本発明の請求項３のカーテンウォールの取付け方法は、上記請求項２において、前記走行レールを、外周養生に支持させることを特徴とする。
【００１４】
また、本発明の請求項４のカーテンウォールの取付け装置は、２本の平行な懸垂レールと複数の吊下げ治具とを有し、各吊下げ治具にカーテンウォールを懸垂させた状態で各吊下げ治具を前記懸垂レールに架け渡すことにより、複数のカーテンウォールを吊下げ支持する収納ラックと、一端側が建物上層部の躯体に固定される一方、他端側が建物外方に向けて水平に延出する態様で、前記建物上層部に設置された跳ね出しレールと、前記跳ね出しレールに対してスライド可能に配置され、前記収納ラックを載置する台車と、を備えたことを特徴とする。
【００１５】
また、本発明の請求項５のカーテンウォールの取付け装置は、上記請求項４において、前記収納ラックが、各カーテンウォールの間にそれぞれ設置され、隣接するカーテンウォール同士の距離を一定に保つ複数の固定治具をさらに備えることを特徴とする。
【００１６】
また、本発明の請求項６のカーテンウォールの取付け装置は、上記請求項５において、前記複数の固定治具が着脱可能に連結されていることを特徴とする。
【発明の効果】
【００１７】
本発明のカーテンウォールの取付け方法及び装置によれば、建物上層部における躯体に跳ね出しレールを設置するとともに、この跳ね出しレールに対して台車をスライド可能に配置し、地上において吊下げ治具を介して複数のカーテンウォールを収納ラックに懸垂支持させた後、この収納ラックを定置式クレーンで建物上層部まで揚重して台車上に載置し、台車を建物内部に向けてスライドさせながらカーテンウォールを吊り出し、所定の取付け位置に搬送して取り付けるようにしたので、収納ラックを上層部まで揚重した後は、タワークレーン等の定置式クレーンを用いる必要がなくなる。その結果、定置式クレーンの拘束を低減させることができる。また、収納ラックを跳ね出しレール上の台車に載置した状態でカーテンウォールを吊り出すようにしたことで、作業の進行に伴って収納ラック内のカーテンウォールが減り収納ラック全体の重量が減少しても、風等による荷振れが生じることなく、安全に作業を行うことができる。
【発明を実施するための最良の形態】
【００１８】
以下に、添付図面を参照して、本発明のカーテンウォールの取付け方法及び装置における好適な実施の形態について詳細に説明する。
【００１９】
図１は、本実施の形態であるカーテンウォールの取付け方法及び装置の適用対象となる建物の斜視図、図２及び図３−１〜３−３は本実施の形態であるカーテンウォールの取付け装置を示す図であり、図２は側面図、図３−１は上面図、図３−２は図３−１の矢視Ａ−Ａ図、図３−３は図３−１の矢視Ｂ−Ｂ図である。なお、本発明で適用するカーテンウォールは、アルミニウム合金、ステンレス鋼等の金属やプレキャストコンクリート等から構成されるものであり、一層分の高さを有する公知のものである。
【００２０】
図１は、本実施の形態であるカーテンウォールの取付け方法及び装置を適用して、建物の下層部から順次カーテンウォールの取付け作業を行っている状態を示している。なお、図１では、上層部において鉄骨建方等の作業を並行して行っている様子も示されている。建物１において、まだカーテンウォールが取付けられていない上層部の外周には、地上部への物の飛来落下防止、外周作業時の作業員の墜落防止、足場の確保等を目的として、外周養生８０が設置してある。この外周養生８０は、建物１の上層部の外周面を取り囲むように配置され建物１の躯体に支持固定される複数の外周養生フレーム８１と、養生ネット（図示を省略）とにより構成してある。なお、この外周養生８０は、建物１の施工状況に応じて上部に盛り替えて転用される。
【００２１】
まず、本実施の形態におけるカーテンウォールの取付け装置について説明する。図２及び図３に示すように、カーテンウォールの取付け装置１０は、跳ね出しレール２０と、跳ね出しレール２０上に配置される台車３０と、複数のカーテンウォールを収容した状態で台車３０に載置されるカーテンウォール収納ラック５０（以下、省略して「収納ラック５０」という。）とから構成されるものである。
【００２２】
跳ね出しレール２０は、建物の上層部における躯体２上に、所定の間隔を置いて平行に敷設された２本のレールからなり、その一端側２１が躯体２に固定される一方、他端側２２が建物外方に向けて水平に延出する態様で設置してある。ここで、跳ね出しレール２０の「一端側２１」とは、建物内の踊場３に設置されたレール部分を示しており、跳ね出しレール２０の「他端側２２」とは、建物から外部に突出した部分（すなわち跳ね出し部分）のレールを示している。以下、跳ね出しレール２０の一端側を「踊場側２１」、他端側を「跳ね出し側２２」という。
【００２３】
図３−１に示すように、２本の跳ね出しレール２０の間隔は、後述する収納ラック５０の幅寸法よりも大きく形成してある。また、跳ね出しレール２０の跳ね出し側２２の長さは、収納ラック５０の長手方向寸法と同程度に形成してある。図２に示すように、跳ね出しレール２０の踊場側２１及び跳ね出し側２２の各端部には、レール上に設置される台車３０のスライドを規制するストッパ部材２３をそれぞれ設けてある。なお、本実施の形態では、この跳ね出しレール２０として、Ｈ形鋼材を適用している。
【００２４】
台車３０は、後述する収納ラック５０を載置して跳ね出しレール２０上を移動させるためのものであり、上部フレーム部３１、下部フレーム部３２及びスライド機構４０とを備えて構成され、跳ね出しレール２０に対してスライド可能に配置してある。
【００２５】
図３−１〜図３−３に示すように、上部フレーム部３１は、２本の跳ね出しレール２０に沿って水平方向に設けられた２本の第１フレーム３１ａと、２本の第１フレーム３１ａの一端部（建物側の端部）から、跳ね出しレール２０の内側に向けて水平方向に延設された第２フレーム３１ｂと、各第１フレーム３１ａの他端部（跳ね出し先端側）から鉛直下向きに設けられた第３フレーム３１ｃとから構成してある。図３−３に示すように、この第２フレーム３１ｂの上面は、後述する収納ラック５０を載置する載置面となっている。
【００２６】
下部フレーム３２は、第１フレーム３１ａと同様に、２本の跳ね出しレール２０に沿って水平方向に設けられている。この下部フレーム３２には、後述するスライド機構４０のトラベリングナットに固定されるナット固定部３４が設けてある。
【００２７】
スライド機構４０は、図２に示すように、下部フレーム３２と跳ね出しレール２０との間に介在するエンドレスコロ４１と、跳ね出しレール２０側に設置されるスクリュージャッキ４２及びトラベリングナット４３とから構成してある。図示しないモータによりスクリュージャッキ４２を駆動させると、スクリュージャッキ４２に沿ってトラベリングナット４３が移動し、これによりナット固定部３４を介して台車３０が跳ね出しレール２０に沿ってスライドする。なお、スライド機構４０としては、エンドレスコロ４１の替りにリニアモーションガイド（ＬＭガイド）、スクリュージャッキ４２及びトラベリングナット４３の替りに電動シリンダ、キャプスタンタイプの手動ウィンチ等の手段も適用することができる。
【００２８】
収納ラック５０は、複数のカーテンウォールＣＷを吊り下げ支持した状態で収納するものであり、カーテンウォールＣＷを吊り下げ支持するための吊下げ治具５１、この吊下げ治具５１を介して複数のカーテンウォールＣＷを懸垂支持する２本の平行な懸垂レール５２、及び、この２本の懸垂レール５２上面に架設されるフレーム部材５３とから構成されるものである。図４〜図８は収納ラック５０を詳しく説明する図であり、図４は収納ラック５０の正面図、図５は図４のＣ−Ｃ断面図、図６は図５の一部を拡大して示した図、図７は図５のＤ−Ｄ断面図、図８は懸垂レール５２の一部を拡大して示した斜視図である。
【００２９】
吊下げ治具５１は、図３−１及び図４に示すように、カーテンウォールＣＷの幅寸法よりも大きい寸法を有したものであり、後述するカーテンウォール固定治具６０、シャックル６１及び吊ワイヤー６２を介してカーテンウォールＣＷを吊り下げ支持するものである。図４に示すように、吊下げ治具５１は、カーテンウォールＣＷを吊り下げた状態で２本の懸垂レール５２の間に架け渡され、その両端が各懸垂レール５２の下フランジ５２ｂに載置される態様で着脱自在に懸垂レール５２に支持される。
【００３０】
図５に示すように、吊下げ治具５１とカーテンウォールＣＷとの間に介在するカーテンウォール固定治具６０（以下、省略して「固定治具６０」という。）は、隣接するカーテンウォール同士の距離を一定に保つためのものであり、Ｌ字型形状の薄板からなるＬ字型部材６３と、隣接するＬ字型部材６３同士を連結する連結部材６４とから構成される。Ｌ字型部材６３の下端部は、図５に示すようにカーテンウォールＣＷから突出する取付け用金具１１に、ボルト１３を介して固定してある。これにより、固定治具６０はカーテンウォールＣＷと連結される。一方、Ｌ字型部材６３の上部は、図６に拡大して示すように、連結部材６４を、隣接するＬ字型部材６３のピン６５に係合させることによって、隣接するＬ字型部材６３に対して着脱可能に連結される。
【００３１】
懸垂レール５２は、図３−１及び図４に示すように、カーテンウォールＣＷの幅寸法よりも大きい間隔を置いて平行に配設された２本のレール部材からなり、上フランジ５２ａ及び下フランジ５２ｂを備えている。図７及び図８に示すように、下フランジ５２ｂには、下フランジ５２ｂ上に載置された吊下げ治具５１がレールに沿って移動するのを阻止するストッパ部材５４が設けてある。また、図８に示すように、上フランジ５２ａには、下フランジ５１ｂのストッパ部材５４に対応する位置に、切欠き部５５が設けてある。懸垂レール５２を上記構成とすることにより、収納ラック５０の上方から吊下げ治具５１ごとカーテンウォールＣＷを引き上げることが可能となっている。
【００３２】
フレーム部材５３は、図３−１に示すように、２本の懸垂レール５２に直交する態様で懸垂レール５２上に架設される２本の平行な長尺部材である。このフレーム部材５３は、懸垂レール５２の建物側の端部に配置される前方フレーム部材５３ａと、懸垂レール５２の跳ね出し先端側に配置される後方フレーム部材５３ｂとから構成される。図３−１に示すように、後方フレーム部材５３ｂは、台車３０の第１フレーム３１ａ間の間隔よりも長く形成してある。図３−２に示すように、後方フレーム部材５３ｂの両端は、台車３０の第３フレーム３１ｃ上に、収納ラック支持部材３３を介して載置される。一方、図３−１に示すように、前方フレーム部材５３ａは、第１フレーム３１ａ間の間隔よりも短く形成してある。図３−３に示すように、前方フレーム部材５３ａの両端は、懸垂レール５２を介して台車３０の第２フレーム３１ｂ上に載置される。また、図２に示すように、前方フレーム部材５３ａ及び後方フレーム部材５３ｂには、収納ラック５０を揚重するための吊ワイヤー１２を挿通する吊ワイヤー挿通孔５６が設けてある。また、符号５７は、クレーンによって収納ラック５０を台車３０に載置する際の揚重作業時の荷振れを防止するための案内バーであり、前方フレーム部材５３ａの中央部付近に設けてある。
【００３３】
上述した収納ラック５０にカーテンウォールＣＷ及を装着する作業は、図９−１〜図９−３に示す作業用足場９０を地上に設置して行う。図９−１は収納ラック５０が設置された作業用足場９０の上面図、図９−２は図９−１のＡ−Ａ断面図、図９−３は、図９−２のＢ−Ｂ断面図である。図に示すように、平行に設置された作業用足場９０の間には、収納ラック５０を支持する支持部材９１が架設してある。また、作業用足場の上方には、チェーンブロック９２が設置してある（図９−１では図示を省略）。以下、カーテンウォールＣＷの装着作業を簡単に説明する。まず、支持部材９１上に懸垂レール５２の両端部を載置し、収納ラック５０を支持部材９１に保持させる。複数の吊り下げ治具５１は、予め懸垂レール５２に架け渡しておく。図９−２に示すように、予め固定治具６０が装着されたカーテンウォールＣＷを作業用足場９０に搬入し、固定治具６０をチェーンブロック９２に取り付けて電動カーテンウォールＣＷを建て起こす。次いで、カーテンウォールＣＷを所定の吊下げ治具５１の下部まで移動させて、固定治具６０の上部を吊ワイヤー６２に連結する。以上の作業を順次行うことにより、複数のカーテンウォールＣＷが収納ラック５０に懸垂支持される。なお、本実施の形態では、１つの収納ラック５０に７枚のカーテンウォールＣＷを装着させてある。
【００３４】
次に、図１０〜図１５を参照しながら、上述したカーテンウォールの取付け装置１０を用いてカーテンウォールＣＷを建物外周面に取付ける方法について説明する。図１０−１及び図１０−２は、建物最上層に設置された定置式クレーン８３を用いて、地上の収納ラック５０を上層部に設置された台車３０まで揚重する途中の状態を示す図、図１１−１及び図１１−２は、収納ラック５０を台車３０へ設置する作業が完了した状態を示す図、図１２−１及び図１２−２は、収納ラック５０から最前列のカーテンウォールを吊り出す状態を示す図、図１３−１及び図１３−２は、最後列のカーテンウォールを吊り出す状態を示す図である。なお、図１０−１〜図１３−１は取付け装置１０を側方から見ており、図１０−２〜図１３−２は取付け装置１０を上方から見ている。また、図１４及び図１５は、収納ラック５０から吊り出したカーテンウォールＣＷを所定の取付け位置まで搬送する手順を示す図であり、右図は建物１及び取付け装置１０を側方から見た図、左図は正面から見た図である。
【００３５】
取付け作業を行う前に、図１及び図１０−１に示すように、上層部の外周に設置された外周養生８０の下部にテルハ７０を設置する。テルハ７０は、テルハ用レール７１と巻上げ装置７２とから構成される。図１に示すように、テルハ用レール７１は、外周養生８０下部における外周養生フレーム８１に支持され、建物１の外周面から所定間隔離れた位置に、外周面に沿って敷設される。巻上げ装置７２としては、ウィンチやチェーンブロック等が用いられ、図示しない搬送装置に吊り下げ支持されることにより、テルハ用レール７１に沿って走行自在に設置される。
【００３６】
以下、カーテンウォールＣＷを地上から建物の上層部の所定の取付け位置まで揚重・搬送して取り付ける手順について説明する。まず、跳ね出しレール２０を上層部（図ではＮ−２階）の躯体２に固定し、この跳ね出しレール２０の跳ね出し側２２に、台車３０を設置する。
【００３７】
地上に配置した収納ラック５０の吊ワイヤー１２を、建物最上層に設置された定置式クレーン８３のフックに玉掛けし、定置式クレーン８３で収納ラック５０を地上からＮ−２階まで揚重する。このとき、図１０−１及び図１０−２に示すように、収納ラック５０前方側を建物１の外周面に対向させる態様で、且つ、収納ラック５０を台車３０の配置位置よりも外側位置に揚重する。図１０に示す状態から、収納ラック５０を台車３０とほぼ同じ高さまで揚重した後、収納ラック５０を建物側に、また、台車３０を跳ね出し側に移動させ、図１１−１及び図１１−２に示すように、台車３０の上部フレーム３１に収納ラック５０の前方フレーム部材５３ａ及び後方フレーム部材５３ｂを載置する。これにより収納ラック５０は、複数のカーテンウォールＣＷを建物１に対して跳ね出し方向に平行に並設させた状態で、台車３０に保持される。図１１−１及び図１１−２に示すように台車３０への収納ラック５０の設置作業が完了した後、収納ラック５０の吊ワイヤー１２を、定置式クレーン８３のフックから取り外す。
【００３８】
次いで、図１２−１及び図１２−２に示すように、スクリュージャッキ４２を駆動させて台車３０を建物内部に向かってスライドさせ、最前列のカーテンウォール（以下、これを「カーテンウォールＣＷ１」という。）を、テルハ７０の巻上げ装置７１の直下に配置する。この後、カーテンウォールＣＷ１を吊下げる吊下げ治具５１を巻上げ装置７１のフック７３に玉掛けし、カーテンウォールＣＷ１とこれに隣接するカーテンウォールとを連結する連結金具６４の係合を解除する。次いで、巻上げ装置７１を駆動させて吊下げ治具５１とともにカーテンウォールＣＷ１を上方から取り出す。
【００３９】
巻上げ装置７１によってカーテンウォールＣＷ１を収納ラック５０の上方に吊り上げた後、図１４に示すように、巻上げ装置７２をテルハ用レール７１に沿って走行させ、カーテンウォールＣＷ１を所定の取り付け位置上部まで搬送し、カーテンウォールＣＷ１を取付け位置まで降ろして取付ける。取付けが完了した後、吊下げ治具５１及び固定治具６０をカーテンウォールＣＷ１から取り外す。
【００４０】
台車３０を建物１内部に向けて移動させながら上記の作業を順次繰返すことにより、収納ラック５０内に収容された複数のカーテンウォールＣＷを所定の取付け位置に取付けていく。このカーテンウォールＣＷの取付け作業が進行するにしたがい、台車３０は建物１の内部に徐々に進入することになる。従って、最後列のカーテンウォールＣＷ７を取付ける段階では、図１３−１及び図１３−２に示すように収納ラック５０のほぼ全体が建物１の内部に入った状態となる。
【００４１】
なお、本実施の形態では、収納ラック５０に収容されたカーテンウォールＣＷを上方から取り出すようにしたが、図１５に示す手順により、これを下方から取り出すことも可能である。この場合、カーテンウォールＣＷの固定治具６０を、直接巻き上げ装置７２のフック７３に玉掛けした後、固定治具６０から吊下げ治具５１を取り外す。この後、図１５に示すように、巻上げ装置７２によりカーテンウォールＣＷを収納ラック５０の下方に移動させ、所定の取付け位置まで搬送して取り付ける。
【００４２】
収納ラック５０内のカーテンウォールＣＷをすべて取り出した後、収納ラック５０の吊ワイヤー１２を再び定置式クレーン８３に玉掛けして、収納ラック５０を地上に下ろす。このとき、地上において収納ラック５０を複数用意しておき、上層階での取り付け作業と並行して、作業用足場９０でのカーテンウォールＣＷの装着作業を行うことにより、収納ラック５０の入れ替え作業の効率化を図ることができる。
【００４３】
以上説明したように、本実施の形態におけるカーテンウォールの取付け方法及び装置では、建物上層部における躯体２に跳ね出しレール２０を設置するとともに、この跳ね出しレール２０に対して台車３０をスライド可能に配置し、地上において吊下げ治具５１を介して複数のカーテンウォールを収納ラック５０に懸垂支持させた後、この収納ラック５０を定置式クレーン８３で建物上層部まで揚重して台車３０上に載置し、台車３０を建物内部に向けてスライドさせながら、テルハ７０を用いて吊下げ治具５１ごとカーテンウォールを上方に引き出し、所定の取付け位置に搬送して取り付けるようにした。従って、収納ラック５０を上層部の台車３０に載置した後に取付け作業を行う際には、定置式クレーン８３を用いる必要がなくなり、定置式クレーンの拘束を低減させることができる。その結果、図１に示すように、カーテンウォールの取り付け作業と並行して、定置式クレーンを他の揚重・搬送作業に有効活用することができるようになる。
【００４４】
また、本実施の形態におけるカーテンウォールの取付け方法及び装置によれば、跳ね出しレール２０上の台車３０を介して収納ラック５０を建物内部に向かってスライドさせるだけで、収納ラック５０に収容されたカーテンウォールを取り出しやすい位置に移動させることができるので、従来のようにカーテンウォールを送り出すための駆動機構をカーテンウォール１枚ごとに備える必要がなくなる。その結果、取付け装置及び取付け作業に掛かるコストを低減させることができるとともに、作業効率を向上させることができる。
【００４５】
また、本実施の形態における取付け装置１０では、台車３０をスライドさせる駆動機構（スクリュージャッキ４２）を、躯体に取付けられた跳ね出しレール２０に設置した構成としている。従って、収納ラック５０内に駆動機構を設置した従来の装置のように、収納ラックの揚重を行うたびに電源供給線の接続・切り離し等の作業を行う必要もなくなるから、作業効率をさらに向上させることができる。
【００４６】
また、本実施の形態におけるカーテンウォールの取付け方法及び装置によれば、収納ラック５０を跳ね出しレール２０上の台車３０に保持させた状態でカーテンウォールを取り出すようにしたので、クレーンで収納ラック５０を吊ったままカーテンウォールを取り出す場合と比べて、安全に且つ安定して作業を行うことができる。また、上記に加えて、本実施の形態では、カーテンウォールの取付け作業が進行するにしたがい、収納ラック５０が建物内側に移動するので、風等の影響を受けにくい。従って、作業の進行に伴って収納ラック５０内のカーテンウォールの数が減り収納ラック全体の重量が減少しても、荷振れが生じにくく、安全性が向上する。また、カーテンウォールの取り出しが進行するに伴って収納ラック５０の重心が移動しても、収納ラックが傾くといったことがないから、バランス維持装置のような取付け作業以外に用いる装置を設置する必要もない。
【００４７】
さらに、本実施の形態のカーテンウォールの取付け方法及び装置によれば、収納ラック５０内において隣接するカーテンウォール同士の距離を一定に保つ複数の固定治具を備えたことで、カーテンウォール同士の衝突や回転を防止することができる。さらに、これら複数の固定治具を着脱自在に連結したことで、収納ラック５０からカーテンウォールを吊り出す際の作業性に優れる。
【００４８】
加えて、本実施の形態のカーテンウォールの取付け方法及び装置によれば、カーテンウォールの搬送・取り付けを行うテルハ７０のテルハ用レール７１を、外周養生８０の下部に設置したことで、これを外周養生８０と一体化して上階に盛り替えることが可能であり、施工性に優れる。
【００４９】
なお、上記の実施の形態では、収納ラック５０に収容されたカーテンウォールの取り出し・搬送にテルハ７０を用いたが、これに限定されるものではなく、上層部に設置したフロアクレーン又は定置式クレーン８３によりこれらの作業を行ってもよい。
【図面の簡単な説明】
【００５０】
【図１】図１は、カーテンウォールの施工対象となる建物の斜視図である。
【図２】図２は、本実施の形態であるカーテンウォールの取付け装置の側面図である。
【図３−１】図３−１は、本実施の形態であるカーテンウォールの取付け装置の上面図である。
【図３−２】図３−２は、図３−１のＡ−Ａ断面図である。
【図３−３】図３−３は、図３−１のＢ−Ｂ断面図である。
【図４】図４は、本実施の形態であるカーテンウォールの取付け装置における収納ラックの正面図である。
【図５】図５は、図４のＣ−Ｃ断面図である。
【図６】図６は、図５の一部を拡大して示した図である。
【図７】図７は、図５のＤ−Ｄ断面図である。
【図８】図８は、懸垂レールの一部を拡大して示した斜視図である。
【図９−１】図９−１は、収納ラックが設置された作業用足場の上面図である。
【図９−２】図９−２は、図９−１のＡ−Ａ断面図である。
【図９−３】図９−３は、図９−２のＢ−Ｂ断面図である。
【図１０−１】図１０−１は、本実施の形態であるカーテンウォールの取付け装置を用いてカーテンウォールの取付け作業（収納ラック揚重時）を行う状態を側方から見た図である。
【図１０−２】図１０−２は、本実施の形態であるカーテンウォールの取付け装置を用いてカーテンウォールの取付け作業を行う状態（収納ラック揚重時）を上方から見た図である。
【図１１−１】図１１−１は、本実施の形態であるカーテンウォールの取付け装置を用いてカーテンウォールの取付け作業（収納ラック設置完了時）を行う状態を側方から見た図である。
【図１１−２】図１１−２は、本実施の形態であるカーテンウォールの取付け装置を用いてカーテンウォールの取付け作業（収納ラック設置完了時）を行う状態を上方から見た図である。
【図１２−１】図１２−１は、本実施の形態であるカーテンウォールの取付け装置を用いてカーテンウォールの取付け作業（最前列ＣＷ取出し時）を行う状態を側方から見た図である。
【図１２−２】図１２−２は、本実施の形態であるカーテンウォールの取付け装置を用いてカーテンウォールの取付け作業（最前列ＣＷ取出し時）を行う状態を上方から見た図である。
【図１３−１】図１３−１は、本実施の形態であるカーテンウォールの取付け装置を用いてカーテンウォールの取付け作業（最後列ＣＷ取出し時）を行う状態を側方から見た図である。
【図１３−２】図１３−２は、本実施の形態であるカーテンウォールの取付け装置を用いてカーテンウォールの取付け作業（最後列ＣＷ取出し時）を行う状態を上方から見た図である。
【図１４】図１４は、カーテンウォールの搬送手順を示す図である。
【図１５】図１５は、カーテンウォールの搬送手順を示す図である。
【符号の説明】
【００５１】
１    建物
１０  カーテンウォールの取付け装置
２０  跳ね出しレール
２１  踊場側端部
２２  跳ね出し側端部
２３  （跳ね出しレールの）ストッパ部材
３０  台車
３１  上部フレーム
３２  下部フレーム
４０  スライド機構
５０  収納ラック
５１  吊下げ治具
５２  懸垂レール
５２ａ  上部フランジ
５２ｂ  下部フランジ
５３  フレーム部材
５４  （懸垂レールの）ストッパ部材
５５  切欠き部
６０  固定治具
６３  Ｌ字型部材
６４  固定金具
７０  テルハ
７１  テルハ用レール
７２  巻上げ装置
８０  外周養生
８３  定置式クレーン
９０  作業用足場
【図１】
2008266891.tif 000003
【図２】
2008266891.tif 000004
【図３−１】
2008266891.tif 000005
【図３−２】
2008266891.tif 000006
【図３−３】
2008266891.tif 000007
【図４】
2008266891.tif 000008
【図５】
2008266891.tif 000009
【図６】
2008266891.tif 000010
【図７】
2008266891.tif 000011
【図８】
2008266891.tif 000012
【図９−１】
2008266891.tif 000013
【図９−２】
2008266891.tif 000014
【図９−３】
2008266891.tif 000015
【図１０−１】
2008266891.tif 000016
【図１０−２】
2008266891.tif 000017
【図１１−１】
2008266891.tif 000018
【図１１−２】
2008266891.tif 000019
【図１２−１】
2008266891.tif 000020
【図１２−２】
2008266891.tif 000021
【図１３−１】
2008266891.tif 000022
【図１３−２】
2008266891.tif 000023
【図１４】
2008266891.tif 000024
【図１５】
2008266891.tif 000025